(57)【要約】【課題】噴霧ノズルから噴射される液滴の方向を多方向に変更可能にし、作業性を優れたものにし、沿面距離を長くしてリーク電流を少なくする。【解決手段】高電圧電極２９を前端部に備え付けたヘッド用屈曲短外管３７と、格段に長い基部用長外管３８とを、ヘッド用屈曲短外管が基部用長外管の中心線を軸にして回動自在となるように基部用長内管に連結し、噴霧ノズル３１を前端部に備え付けたヘッド用屈曲短内管３９と、格段に長い基部用長内管２２ａとを、ヘッド用屈曲短内管と結合する回動部４８と、基部用長内管と結合する固定部４９とを有する連結用内管４０を介在して連結し、基部用長外管内に収容して内管に外管を固定し、絶縁空間３４を仕切る仕切用外管固定具３５の設置位置を連結用内管より後方にし、噴霧ノズルと仕切用外管固定具とを離して、その離隔距離を長くする。【選択図】  図１
2008055358.tif 000002
【特許請求の範囲】
【請求項１】
高電圧電極を前端部に備え付けた支持用の外管内に、噴霧ノズルを前端部に備え付け、その噴霧ノズルの噴射口に加圧液を導く内部流路を有する支持用の内管を収容し、その外内管を同心状に配置して、外管の内周面と内管の外周面とを所定距離離して絶縁空間を形成し、更にその外管内に絶縁空間を前後に仕切って、内管に外管を固定する絶縁性の仕切用外管固定具を収容してなる静電噴霧噴射管であって、上記外管を、高電圧電極を前端部に備え付けた絶縁性のヘッド用屈曲短外管と、そのヘッド用屈曲短外管の長さと比べて格段に長い絶縁性の基部用長外管とを用いて、そのヘッド用屈曲短外管を基部用長外管の中心線を軸にして回動自在となるように基部用長外管に連結し、又内管を、噴霧ノズルを前端部に備え付けたヘッド用屈曲短内管と、そのヘッド用屈曲短内管の長さと比べて格段に長い絶縁性の基部用長内管とを用いて、そのヘッド用屈曲短内管と基部用長内管とを、ヘッド用屈曲短内管と結合する回動部と、基部用長内管と結合する固定部とを有する連結用内管を介在して連結し、その基部用長外管内に収容する仕切用外管固定具の設置位置を連結用内管より後方にし、噴霧ノズルと仕切用外管固定具とを離して離隔距離を長くすることにより、高電圧電極から外管の内周面を通って仕切用外管固定具の前面に至り、更に内管の外周面を通って噴霧ノズルの噴射口に達する、或いはその噴射口に至る途中の導電部に達する沿面距離を長くすることを特徴とする首回し型静電噴霧噴射管。
【請求項２】
基部用長外管の仕切用外管固定具設置位置より前側の壁部に、絶縁空間内に溜まる液滴を外部に抜く液抜き穴を１個又は複数個設け、更にその基部用長外管の内周面の液抜き穴の仕切用外管固定具寄り直近に、基部用長内管に向かって突出する液止め突部を設けることを特徴とする請求項１記載の首回し型静電噴霧噴射管。
【請求項３】
静電噴霧部に、請求項１又は２記載の首回し型静電噴霧噴射管を複数本並設して備え付けることを特徴とする静電噴霧機。
【発明の詳細な説明】
【技術分野】
【０００１】
本発明は、薬液等の液体散布に使用する静電噴霧噴射管並びに静電噴霧機に関する。
【背景技術】
【０００２】
従来、農作物、その他へ薬液、水等の液体散布をするため、手動噴霧機又は動力噴霧機が使用されている。そして、このような噴霧機として、静電噴霧機を用い、その噴霧機に備えられている液圧送ホースに、静電噴霧噴射管を接続して用いると、噴霧ノズルから噴射し、拡散する霧状液滴をその拡散範囲の外側を取り巻くように設置したリング状の高電圧電極によりマイナスに帯電させ、作物等に付着し易くすることができる。それ故、静電噴霧噴射管を用いると、農作物等に対して液体散布を良好に行える。
【０００３】
このような静電噴霧噴射管として、図５に示す首振り型静電噴霧噴射管１が提示されている。この首振り型静電噴霧噴射管１は、細長い支持管２の前端にコネクタ３を介して着脱可能に接続されたノズルユニット４を備え、その後端に握り部５を備えて、その握り部５より少し前側に補助握り部６を備えている。  そして、ノズルユニット４はコネクタ３を介して支持管２に支持されるユニットベース７と、そのユニットベース７に回動軸８を介して回動可能に支持されたノズルヘッド９とを備えている。又、ノズルヘッド９は導電性の噴霧ノズル１０と、その噴霧ノズル１０の噴射口から霧状に噴射される液滴１１の拡散範囲の外側近傍を取り囲むように配設された円形リング状の高電圧電極１２と、その高電圧電極１２を噴霧ノズル１０に結合する絶縁性の電極ホルダ１３と、その電極ホルダ１３及びユニットベース７の可動部分を覆う、絶縁性カバー１４とを備えている。
【０００４】
又、握り部５はその前端寄りの外部に加圧液制御弁１５を備え、後端側の外部に液圧送ホース１６を備えている。そして、その制御弁１５によりホース１６から供給される加圧液を制御し、支持管２に収容された液供給管１７を介してノズルユニット４の噴霧ノズル１０へと供給する。更に、握り部５は内部に直流高電圧を発生する高電圧発生装置、その電源用蓄電池等を収容している。そして、その装置により発生した高電圧を支持管２に収容された電線１８を経てノズルユニット４の高電圧電極１２へと導く。それ故、噴霧ノズル１０から噴射される液滴１１を高電圧電極１２によりマイナスに帯電できる。
【特許文献１】特開２００５−１２５１７５
【発明の開示】
【発明が解決しようとする課題】
【０００５】
しかしながら、このような首振り型静電噴霧噴射管１は噴霧時に噴霧ノズル１０から噴射される液滴１１の方向を変える場合、回動軸８を中心にしてノズルヘッド９を動かし、ノズルヘッド９を例えば上下の２方向に適宜首振りさせて位置を調節する必要がある。このため、ノズルヘッドが長いと、支持管に対し長いノズルヘッドを屈曲させた時取り扱い難くなり、そのノズルヘッドが噴霧作業の邪魔になって、作業性が劣ったものになる。そこで、噴霧ノズル１０に回動軸８を近付けてノズルヘッド９を短くするが、ノズルヘッド９が短いと、高電圧電極１２を噴霧ノズル１０に結合する絶縁性の電極ホルダ１３に、その噴霧ノズル１０を取り囲むように円筒状突部１９を設けて、その高電圧電極１２と噴霧ノズル１０との沿面距離を増やしても、その沿面距離をあまり長くできない。
【０００６】
本発明は、このような従来の問題点に着目してなされたものであり、噴霧ノズルから噴射される液滴の方向を多方向に変えることができ、噴霧時の作業性に優れ、沿面距離を長くできてリーク電流の少ない首回し型静電噴霧噴射管並びにその首回し型静電噴霧噴射管を備えた静電噴霧機を提供することを目的とする。
【課題を解決するための手段】
【０００７】
上記目的を達成するために、本発明による首回し型静電噴霧噴射管は高電圧電極を前端部に備え付けた支持用の外管内に、噴霧ノズルを前端部に備え付け、その噴霧ノズルの噴射口に加圧液を導く内部流路を有する支持用の内管を収容し、その外内管を同心状に配置して、外管の内周面と内管の外周面とを所定距離離して絶縁空間を形成し、更にその外管内に絶縁空間を前後に仕切って、内管に外管を固定する絶縁性の仕切用外管固定具を収容する。
【０００８】
そして、上記外管を、高電圧電極を前端部に備え付けた絶縁性のヘッド用屈曲短外管と、そのヘッド用屈曲短外管の長さと比べて格段に長い絶縁性の基部用長外管とを用いて、そのヘッド用屈曲短外管を基部用長外管の中心線を軸にして回動自在となるように基部用長外管に連結し、又内管を、噴霧ノズルを前端部に備え付けたヘッド用屈曲短内管と、そのヘッド用屈曲短内管の長さと比べて格段に長い絶縁性の基部用長内管とを用いて、そのヘッド用屈曲短内管と基部用長内管とを、ヘッド用屈曲短内管と結合する回動部と、基部用長内管と結合する固定部とを有する連結用内管を介在して連結する。
【０００９】
又、その基部用長外管内に収容する仕切用外管固定具の設置位置を連結用内管より後方にし、噴霧ノズルと仕切用外管固定具とを離して離隔距離を長くすることにより、高電圧電極から外管の内周面を通って仕切用外管固定具の前面に至り、更に内管の外周面を通って噴霧ノズルの噴射口に達する、或いはその噴射口に至る途中の導電部に達する沿面距離を長くする。
【００１０】
又、その基部用長外管の仕切用外管固定具設置位置より前側の壁部に、絶縁空間内に溜まる液滴を外部に抜く液抜き穴を１個又は複数個設け、更にその基部用長外管の内周面の液抜き穴の仕切用外管固定具寄り直近に、基部用長内管に向かって突出する液止め突部を設けると好ましくなる。
【００１１】
又、本発明による静電噴霧機は、その静電噴霧部に上記首回し型静電噴射管を複数本並設して備え付けるとよい。
【発明の効果】
【００１２】
本発明の首回し型静電噴霧噴射管は、外内管を同心状に配置して、外管の内周面と内管の外周面とを所定距離離して絶縁空間を形成し、更にその外管内に絶縁空間を前後に仕切って内管に外管を固定する絶縁性の仕切用外管固定具を収容し、その高電圧電極を前端部に備え付けた絶縁性のヘッド用屈曲短外管と、そのヘッド用屈曲短外管の長さと比べて格段に長い絶縁性の基部用長外管とを、そのヘッド用屈曲短外管が基部用長外管の中心線を軸にして回動自在となるように基部用長外管に連結し、又噴霧ノズルを前端部に備え付けたヘッド用屈曲短内管と、そのヘッド用屈曲短内管の長さと比べて格段に長い絶縁性の基部用長内管とを、そのヘッド用屈曲短内管と結合する回動部と基部用長内管と結合する固定部とを有する連結用内管を介在して連結することにより、そのヘッド用屈曲短外内管を基部用長外内管の中心線に対して回動する首回しを適宜行って、噴霧ノズルから噴射される帯電した液滴の方向を多方向に変えることができる。
【００１３】
そして、ヘッド用屈曲短外管を基部用長外管の中心線を軸にして回動可能となるように連結し、更にヘッド用屈曲短内管と基部用長内管とを、ヘッド用屈曲短内管と結合する回動部と基部用長内管と結合する固定部とを有する連結用内管を介在して連結することにより、ヘッド用屈曲短内外管を基部用長外内管と比べて格段に短くできるので、基部用長外内管側を支持して噴霧を行うと、ヘッド用屈曲短外内管が基部用長外内管に対して屈曲していても、取り扱い易く、作業性に優れたものになる。
【００１４】
又、基部用長外管内に収容する仕切用外管固定具の設置位置を連結用内管より後方にし、噴霧ノズルと仕切用外管固定具とを離して離隔距離を長くすることにより、高電圧電極から外管の内周面を通って仕切用外管固定具の前面に至り、更に内管の外周面を通って噴霧ノズルの噴射口に達する、或いはその噴射口に至る途中の導電部に達する沿面距離を長くして、リーク電流を少なくできる。
【００１５】
又、基部用長外管の仕切用外管固定具設置位置より前側の壁部に、絶縁空間内に溜まる液滴を外部に抜く液抜き穴を１個又は複数個設け、更にその基部用長外管の内周面の液抜き穴の仕切用外管固定具寄り直近に、基部用長内管に向かって突出する液止め突部を設けることにより、外内管の絶縁空間に侵入する液滴が基部用長外管に収容した仕切用外管固定具に達するのを、基部用長内管に向かって突出する液止め突部で一部遮り、液滴を大きくする等して液抜き穴から外部に抜き、外内管の内外周面が液滴で濡れて沿面距離が短くなるのを防ぐと共に、その突部によって沿面距離を増し、リーク電流を少なくすることができる。
【００１６】
又、本発明の静電噴霧機は、その静電噴霧部に首回し型静電噴霧噴射管を複数本並設して備え付けることにより、各噴射管のヘッドを適宜回動して、噴射される帯電した液滴の方向を自由に選択でき、複数方向の噴霧によって農作物等に対し、良好に液体噴霧を行える。
【発明を実施するための最良の形態】
【００１７】
以下、添付の図１〜４を参照して、本発明の実施の最良形態を説明する。
図１は本発明を適用した静電噴霧機の静電噴霧部に備える１本の首回し型静電噴霧噴射管の要部の部分断面図、図２はその噴射管の前面図、及び図３はその静電噴霧部の部分断面図である。この静電噴霧機は薬液、水等の液体を収容するタンク、そのタンクから供給される液体を加圧するポンプ等を備えた液加圧部（図示なし）と、その液加圧部とホースを介して接続し、加圧液を農作物、その他へ静電噴霧する静電噴霧部２０とから構成する。そして、静電噴霧部２０の中心に、加圧液を導く内部流路２１を有する１本の絶縁性支持管を配置する。但し、支持管２２は外内管２３、２４を同心状に配置した二重管にし、その外管２３には絶縁性を高めるためプラスチック管を用いるのに対し、内管２４には支持用の強度を大きくするため金属管を用い、その金属管の内部を流路２１にする。又、この支持管２２の半分より少し短い前半部側２２ａを静電噴霧噴射管２５にし、半分より少し長い後半部側２２ｂを後端部付近に握り部２６、中央寄り部分に握り兼用スイッチ部２７を夫々備えた操作部２８にする。
【００１８】
そこで、静電噴霧噴射管２５を二重管にし、その高電圧電極２９を前端部に備え付けた支持用の外管３０の内部に、噴霧ノズル３１を前端部に備え付け、その噴霧ノズル３１の噴射口３２に加圧液を導く内部流路２１等を有する支持用の内管３３を収容し、その外内管３０、３３を同心状に配置して、外管３０の内周面と内管３３の外周面とを所定距離、例えば１ｃｍ離して絶縁空間３４を形成する。又、その外管３０の後部付近の内部に絶縁空間３４を前後に仕切って、内管３３に外管３０を固定する絶縁性の仕切用外管固定具３５を収容する。なお、外管３０の最後部には仕切用外管固定具３５とほぼ同様の構造を有する絶縁性の後蓋兼用外管固定具３６を収容する。
【００１９】
そして、その外管３０として、高電圧電極２９を前端部に備え付けた長さが例えば５ｃｍの絶縁性のヘッド用屈曲短外管３７と、そのヘッド用屈曲短外管３７の長さと比べて格段に長い、例えば長さが３３ｃｍの絶縁性の基部用長外管３８との連結体を用いる。又、その内管３３として、噴霧ノズル３１を前端部に備え付けたヘッド用屈曲短内管３９と、そのヘッド用屈曲短内管３９の長さと比べて格段に長い絶縁性の基部用長内管として、支持管２２の前半部側２２ａを用いて、その短長内管３９、２２ａの間に連結用内管４０を介在した連結体を用いる。
【００２０】
その際、高電圧電極２９として円形リング状板体を用い、その電極２９を、握り兼用スイッチ部２７から伸びる高電圧印加用の電線４１が結合する電極ホルダ４２に装着する。すると、高電圧電極２９を、電極ホルダ４２を構成する前側押さえ４３と基側受け４４の両部品からなる短管状組立体の内周面から、図２に示すように中心に向かって突出できる。そして、電極ホルダ４２の後部側を中央で１３５度の角度に屈曲した短外管４５の前部側に内嵌して結合するとヘッド用屈曲短外管３７となる。
【００２１】
このヘッド用屈曲短外管３７は基部用長外管３８と連結するため、ヘッド用屈曲短外管３７の後部側内周面に円形リング状の嵌合用凹所４６を設け、基部用長外管３８の前端部側外周面に対応する円形リング状の嵌合用突部４７を設けて嵌め合わせる。すると、高電圧電極２９を前端部に備え付けたヘッド用屈曲短外管３７を基部用長外管３８の中心線を軸にして回動自在にできる。
【００２２】
又、ヘッド用屈曲短内管３９として、やはり中央で１３５度の角度に屈曲した短管を用いる。そして、連結用内管４０にはホースの縒り戻し管として一般に市販されている片側が回動部４８、他側が固定部４９となった接続用短管を用いる。すると、ヘッド用屈曲短内管３９の後端部を、螺着接合用補助部品５０等を用いて連結用内管４０の回動部４８と結合し、その固定部４９を螺着接合用補助部品５１等を用いて基部用長内管２２ａの前端部と結合することによって、ヘッド用屈曲短内管３９を連結用内管４０を介在して基部用長内管２２ａと連結し、噴霧ノズル３１を前端部に備え付けたヘッド用屈曲短内管３９を、基部用長内管２２ａの中心線を軸にして回動自在にできる。このようにして、電極ホルダ４２の後側内部中央に噴霧ノズル３１を配置する。なお、５２は基部用長内管２２ａの前端付近にある外内管２３、２４の間をシールするＯリング等のシール部材である。
【００２３】
このような静電噴霧噴射管２５は使用時に噴霧ノズル３１から噴霧を行うと、噴霧された液滴がマイナスに帯電しているので、どうしてもプラスの高電圧電極２９に引き付けられて外内管３０、３３の間に入る。又、風が吹いたりした時に、噴霧された液滴の一部が高電圧電極２９の内縁部の裏側等に当って外内管３０、３３の間に入る。更に、農作物等に散布された液体が滴となって垂れてきたりして外内管３０、３３の間に入る。このため、絶縁空間３４の湿度が高まり、そこに液滴が溜まり易い。そこで、基部用長外管３８の前端部付近から中央付近にかけて、その壁部に大径の貫通穴５３を多数例えば１８個分散配設する。すると、各穴５３から内部に溜まる液滴を外部に抜いて、絶縁空間３４の湿度を下げ、外内管３０、３３の内外周面が液滴で濡れて沿面距離が短くなるのを防ぐことができる。しかも、基部用長外管３８を軽くすることによって静電噴霧部２０を軽量化できる。
【００２４】
又、基部用長外管３８にはその壁部の最後尾にある液抜き兼軽量化用穴５３より少し後方の位置に、絶縁空間３４の内部に溜まる液滴を更に外部に抜く小径の液抜き用貫通穴５４を１個又は複数個、例えば１２個中心線を取り囲む円形リング状に配設する。そして、その基部用長外管３８の内周面の各液抜き穴５４の仕切用外管固定具３５寄り直近に、基部用長内管２２ａに向かって中心線を取り囲む円形リング状に突出する液止め突部５５を設ける。すると、仕切用外管固定具３５に向かう液滴の大部分を、前側に配設された円形リング状の液止め突部５５により遮り、液滴を大きくする等して各液抜き穴５４から外部に抜くことができる。又、その突部５５によって沿面距離を増してリーク電流を少なくすることができる。
【００２５】
又、基部用長外管３８にはその後部付近の内部に仕切用外管固定具３５を収容するため、基部用長内管２２ａを構成するプラスチック外管２３にのみ、その対応位置に固定具設置用の貫通穴５６を設ける。そして、このような仕切用外管固定具３５として、外内周面等の所定箇所にＯリング５７、パッキン５８等のシール部材を備えた短円筒体を用いる。すると、仕切用外管固定具３５を設置穴５６の内部に嵌め、その固定具３５の内周面を基部用長内管２２ａを構成する金属内管２４の外周面と当接し、固定具３５の外周面を基部用長外管３８の内周面と当接できる。
【００２６】
それ故、仕切用外管固定具３５により基部用長外管３８を基部用長内管２２ａに固定して、絶縁空間３４を前後に仕切ることができる。しかも、仕切用外管固定具３５の前面５９の内周縁部を円筒状に少し突出し、その円筒状突部６０にＯリング６１を備え付けておく。すると、その円筒状突部６０を基部用長内管２２ａのプラスチック外管２３と金属内管２４との間に挿入することによって、基部用長内管２２ａに仕切用固定具３５を介して基部用長外管３８を一層強固に固定できる。
【００２７】
更に、静電噴霧部２０には乾電池、蓄電池等の電池と、その電池を電源にして高電圧を発生する高電圧発生装置等を収容した電源用ケース６２を備え付け、そこから電線６９を導出して握り兼用スイッチ部２７に接続する。又、その握り兼用スイッチ部２７には電源スイッチ６３、そのオン、オフ状態即ち高電圧発生の有無を知らせる警告灯６４、アース線６５等を備え付ける。なお、噴霧ノズル３１から噴射される液滴がマイナスとなるように、少なくとも加圧液をアースする。又、支持管２２の後端部に静電噴霧部２０に流入させる加圧液の流量を調節する液流量調節コック（図示なし）を備え付ける。すると、静電噴霧部２０が完成する。
【００２８】
このような静電噴霧機を使用する場合、噴射方向を調節する際に、静電噴霧部２０のヘッド用屈曲短外内管３７、３９を基部用長外内管３８、２２ａの中心線に対し、適宜回動して角度を選択し、しかも同一角度にする必要がある。そこで、首回し専用具（図示なし）を用い、高電圧電極２９の中央穴部に外部から差し込むこと等によって、ヘッド用屈曲短外内管３７、３９を同時に同一方向に適宜回動する。このため、ヘッド用屈曲短外内管３７、３９を基部用長外内管３８、２２ａの中心線に対して回動する首回しを簡単に行い、噴霧ノズル３１から噴射される帯電した液滴の方向を選択して、多方向に変えることができる。なお、アース線６５はその先端部を地面等に接触させる。
【００２９】
そして、ヘッド用屈曲短外内管３７、３９を基部用長外内管３８、２２ａと比べて格段に短くすると、基部用長外内管３８、２２ａに備え付けた握り部２６、握り兼用スイッチ部２７を持って支持し噴霧を行った時、ヘッド用屈曲短外内管３７、３９が基部用長外内管３８、２２ａに対して屈曲していても、取り扱い易くなり、そのヘッド用屈曲短外内管３７、３９が作業の邪魔にならないので、作業性に優れている。しかも、噴霧ノズル３１と仕切用外管固定具３５とを離し、その離隔距離を長くすると、その距離を長くすればする程、噴霧の際に高電圧電極２９から外管３０の内面を通って仕切用外管固定具３５の前面５９に至り、更に内管３３の外面を通って噴霧ノズル３１の噴射口３２に達する沿面距離を長くして、リーク電流を少なくできる。なお、噴霧ノズル３１の噴射口３２に至る途中の噴霧ノズル３１、ヘッド用屈曲短内管３９、連結用内管４０等にプラスチック等の絶縁性部材を用いず、それ等を適宜金属製にして導電部にすると、その導電部の長さ分だけ沿面距離が短くなる。
【００３０】
上記実施の形態では、静電噴霧機の静電噴霧部２０に首回し型静電噴霧噴射管２５を１本備え付ける場合について説明したが、静電噴霧部２０に同様の首回し型静電噴霧噴射管２５を複数本、例えば図４に示すように２本の首回し型静電噴霧噴射管２５（２５ａ、２５ｂ）を並設して備え付けることができる。その際には、各噴射管２５の基部用長内管を形成するため、支持管２２の前半部側２２ａを２個の分岐用短管６６（６６ａ、６６ｂ）を用いて分岐し、その後半部側２２ｂを１本にする。そして、両方の各首回し型静電噴霧噴射管２５を夫々Ｌ字状補強部材６７（６７ａ、６７ｂ）を用いて、支持管２２の後半部側２２ｂに強固に結合する。なお、６８は両高電圧電極２９の間を接続する電線である。このようにして、静電噴霧部２０に複数本の首回し型静電噴霧噴射管２５を並設して備え付けると、噴霧の際に、各噴射管２５のヘッド用屈曲短外内管３７、３９を基部用長外内管３８、２２ａの中心線に対し、夫々適宜回動して、各噴霧ノズル３１から噴射される帯電した液滴の方向を自由に選択でき、複数方向の噴霧によって農作物等に良好に液体噴霧を行える。
【図面の簡単な説明】
【００３１】
【図１】本発明を適用した静電噴霧機の静電噴霧部に備える１本の首回し型静電噴霧噴射管の要部の部分断面図である。
【図２】同首回し型静電噴霧噴射管の前面図である。
【図３】同首回し型静電噴霧噴射管を１本備えた静電噴霧部の部分断面図である。
【図４】同首回し型静電噴霧噴射管を２本並設して備えた静電噴霧部の部分断面図である。
【図５】従来の静電噴霧機の静電噴霧部に備える首振り型静電噴霧噴射管の要部の部分断面図である。
【符号の説明】
【００３２】
２０…静電噴霧部  ２１…内部流路  ２２…支持管  ２２ａ…基部用長内管（支持管の前半部側）  ２３…プラスチック外管  ２４…金属内管  ２５…静電噴霧噴射管  ２６…握り部  ２７…握り兼用スイッチ部  ２８…操作部  ２９…高電圧電極  ３０、３３…支持用外内管  ３１…噴霧ノズル  ３２…噴射口  ３４…絶縁空間  ３５…仕切用外管固定具  ３６…後蓋兼用外管固定具  ３７、３９…ヘッド用屈曲短外内管  ３８…基部用長外管  ４０…連結用内管  ４２…電極ホルダ  ４６…嵌合用突部  ４７…嵌合用凹所  ４８…回動部  ４９…固定部  ５３…液抜き大穴  ５４…液抜き小穴  ５５…液止め突部  ５６…設置穴  ５９…前面  ６０…挿入用突部  ６２…電源用ケース  ６３…電源スイッチ  ６４…警告灯  ６５…アース線
【図１】
2008055358.tif 000003
【図２】
2008055358.tif 000004
【図３】
2008055358.tif 000005
【図４】
2008055358.tif 000006
【図５】
2008055358.tif 000007